(57)【要約】【課題】換気機能付き浴室暖房装置の換気ユニットにより浴室以外の他室の換気を行わせると共に、他室の換気量を調整するための可変ダンパを設けるものにおいて、可変ダンパを設けることによる換気ユニットの大型化を回避する。【解決手段】他室に連なるダクトを換気ユニットに接続する管継手として、可変ダンパ２３とその駆動モータ２３ａとを内蔵する管継手２０を使用する。モータ２３ａは、継手本体１０２内の通路部１０３に対し隔壁部１０４で仕切られた継手内の部屋１０５に収納する。【選択図】  図８
2004232975.tif 000002
【特許請求の範囲】
【請求項１】
浴室内の空気を循環させつつ加熱する暖房ユニットと、浴室に連通するケーシング内に換気ファンを収納して成る換気ユニットとを備えると共に、換気ユニットのケーシングに、浴室以外の他室にダクトを介して連通する他室用吸気口を開設して、他室の換気も可能とした換気機能付き浴室暖房装置において、
他室用吸気口に、モータとモータで回転駆動される可変ダンパとを内蔵する管継手を介して前記ダクトを接続することを特徴とする換気機能付き浴室暖房装置。
【請求項２】
ダクトの接続に用いる管継手であって、管継手の軸線方向の少なくとも一部分に、継手本体内の通路部に対し継手本体に一体の隔壁部で仕切られる、管継手の円形断面内に収まる空室を設け、該空室にモータを収納すると共に、前記通路部に、前記モータで回転駆動される可変ダンパを配置することを特徴とするダクト用管継手。
【請求項３】
前記円形断面の輪郭に合致する外面形状を持つ、前記継手本体に着脱自在な蓋部材で前記空室を覆うことを特徴とする請求項２に記載のダクト用管継手。
【請求項４】
前記蓋部材の内面に、前記モータに設けた固定部を前記隔壁部との間に挟持してモータを固定するモータ押え部を形成することを特徴とする請求項３に記載のダクト用管継手。
【請求項５】
前記可変ダンパの前記隔壁部側の側縁部に、前記モータの出力軸が隔壁部に形成した透孔を通して軸方向に抜き差し自在に嵌合する連結部を形成することを特徴とする請求項３または４に記載のダクト用管継手。
【請求項６】
前記継手本体の前記隔壁部に対向する内壁面の部分に、前記可変ダンパの前記隔壁部側とは反対側の側縁部に突設した軸部が抜き差し自在に係合する軸支部を形成し、前記連結部に前記モータの出力軸を嵌合させることにより、出力軸に押されて軸部が軸支部に対し抜け止めされることを特徴とする請求項５に記載のダクト用管継手。
【請求項７】
請求項１に記載の換気機能付き浴室暖房装置であって、前記管継手として請求項２〜６の何れか１項に記載のダクト用管継手を用いることを特徴とする換気機能付き浴室暖房装置。
【発明の詳細な説明】
【０００１】
【発明の属する技術分野】
本発明は、換気機能付き浴室暖房装置並びにこの浴室暖房装置におけるダクト配管に好適なダクト用の管継手に関する。
【０００２】
【従来の技術】
従来、浴室内の空気を循環させつつ加熱する暖房ユニットと、浴室に連通するケーシング内に換気ファンを収納して成る換気ユニットとを備えると共に、換気ユニットのケーシングに、浴室以外の他室（脱衣所やトイレ）にダクトを介して連通する他室用吸気口を開設して、他室の換気も可能とした換気機能付き浴室暖房装置が知られている。
【０００３】
また、このような換気機能付き浴室暖房装置を用いて、集合住宅等の気密性の高い住宅の換気を行う換気システムも知られている。このものでは、浴室、脱衣所およびトイレから成るサニタリ領域以外の各居室（寝室、リビングルーム等）に外気取り入れ口を設けると共に、各居室とサニタリ領域との間の通風を可能にするため、各居室のドアにアンダーカットやガラリを設けておく。これによれば、換気ユニットの換気ファンを作動させたときに、各居室からサニタリ領域に空気が流動し、浴室、脱衣所およびトイレの空気と共に各居室からの空気が屋外に排出され、住宅全体の換気が為される。そして、換気ファンを継続作動させる常時換気モードでの運転を可能にし、住宅全体を常時換気できるようにしている。
【０００４】
更に、換気ユニットに、浴室との連通路を開閉する開閉機構を設け、暖房ユニットによる浴室の暖房を行うときは、常時換気モードでの運転中であっても浴室連通路を閉鎖して、浴室の暖房を優先できるようにしている。然し、浴室連通路を閉鎖すると、住宅全体の換気量が減少してしまう。この場合、換気ファンの回転数を増加することも考えられるが、これでは騒音が大きくなる。
【０００５】
そこで、本願出願人は、先に、上記した換気機能付き浴室暖房装置において、換気ユニットのケーシング内に、他室用吸気口の開度を可変するモータ駆動の可変ダンパを設け、常時換気モードでの運転中に暖房ユニットによる浴室の暖房を行うときは、可変ダンパにより他室用吸気口の開度を増加させるようにしたものを提案している。これによれば、常時換気モードでの運転中に、浴室暖房で浴室連通路が閉鎖されても、他室用吸気口の開度が増加するため、換気ファンの回転数を増加しなくても住宅全体の換気量を確保できる。
【０００６】
尚、常時換気を行うものではないが、従来、換気ユニットの他室用吸気口に接続される、他室に連通するダクトに開閉ダンパを組み込み、必要時にダンパを開くことで他室の換気を行うようにしたものも知られている（例えば、特許文献１参照。）。
【０００７】
【特許文献１】
特開平９−３８３８９号公報（第３頁、図１）
【０００８】
【発明が解決しようとする課題】
上記先の提案のもののように、換気ユニットのケーシング内に、他室用吸気口の開度を可変するモータ駆動の可変ダンパを設けるには、ケーシング内に、モータの配置スペースとダンパの回動スペースとを確保することが必要になり、換気ユニットのコンパクト化が困難になる。また、設置後に可変ダンパ用のモータが故障した場合、ケーシング内に手を差し入れての交換作業が強いられ、メンテナンス性の点でも問題がある。
【０００９】
尚、上記従来例の技術を利用し、他室用吸気口に接続するダクトに可変ダンパを組み込むことも考えられる。ここで、ダクトは、長さ・形状が異なる多種類の中から浴室暖房装置の設置場所に合った種類のものが施工現場で選択される。多種類のダクトを可変ダンパ付きのものとして揃えておくことはコスト的に現実的ではなく、結局、施工現場でダクトに可変ダンパを組み込むことが必要になる。また、浴室暖房装置から離れた場所に可変ダンパが配置されることになるため、可変ダンパの駆動モータに対する配線作業も面倒になる。従って、ダクトに可変ダンパを組み込むことは施工性の悪化を招く。
【００１０】
本発明は、以上の点に鑑み、浴室以外の他室の換気量を調節するための可変ダンパを備える、メンテナンス性および施工性に優れたコンパクトな換気機能付き浴室暖房装置並びにこの装置に好適なダクト用管継手を提供することをその課題としている。
【００１１】
【課題を解決するための手段】
上記課題を解決するために、本発明は、浴室内の空気を循環させつつ加熱する暖房ユニットと、浴室に連通するケーシング内に換気ファンを収納して成る換気ユニットとを備えると共に、換気ユニットのケーシングに、浴室以外の他室にダクトを介して連通する他室用吸気口を開設して、他室の換気も可能とした換気機能付き浴室暖房装置において、他室用吸気口に、モータとモータで回転駆動される可変ダンパとを内蔵する管継手を介して前記ダクトを接続することを特徴とする。
【００１２】
上記の構成によれば、他室の換気量を管継手内の可変ダンパにより自在に調節できる。そして、換気ユニットのケーシング内に、他室用の可変ダンパおよびダンパ用のモータを設けずに済むため、換気ユニットのコンパクト化を図れる。
【００１３】
また、ダンパ用モータの故障等で可変ダンパが正常に作動しなくなった場合、管継手を交換するだけで対処でき、作業が簡単でメンテナンス性に優れる。更に、管継手は、現場合わせで選択するダクトと異なり、１種類で良い。そのため、管継手に予めモータおよび可変ダンパを組み込んでおいてもコスト的な問題は生じない。従って、施工現場では、モータおよび可変ダンパを組み込み済みの管継手を用いてダクト配管作業を行うだけで良く、作業が簡単になる。また、管継手は換気ユニットのケーシング、即ち、浴室暖房装置の本体部に取り付けられるから、管継手に組み込んだモータに対する配線作業も容易になり、施工性が向上する。
【００１４】
更に、本発明では、上記管継手として好適な以下のダクト用管継手が提供される。このダクト用管継手は、管継手の軸線方向の少なくとも一部分に、継手本体内の通路部に対し継手本体に一体の隔壁部で仕切られる、管継手の円形断面内に収まる空室を設け、該空室にモータを収納すると共に、前記通路部に、前記モータで回転駆動される可変ダンパを配置して成るものである。
【００１５】
これによれば、モータを通路部に流れる他室からの空気から隔離して、湿気等の影響がモータに及ぶことを防止できる。しかも、モータは、管継手の円形断面の外方に張り出さないため、ダクトを管継手の外周面にモータに邪魔されることなく嵌着できる。
【００１６】
また、管継手の円形断面の輪郭に合致する外面形状を持つ、継手本体に着脱自在な蓋部材で空室を覆うようにすれば、蓋部材を外すことによりモータを空室から取り出して交換、修理することができる。尚、蓋部材を取り付けた状態では、蓋部材の外面が管継手の断面円形の外周面の一部となり、ダクトの接続が蓋部材で邪魔されることはない。
【００１７】
ところで、管継手を上記の如く可変ダンパ付きのものとすると、コストが高くなる。そのため、モータやダンパの組み付けを容易にして、組み立てコストを削減することにより、管継手のコストアップを抑制することが望まれる。ここで、蓋部材の内面に、モータに設けた固定部を隔壁部との間に挟持してモータを固定するモータ押え部を形成しておけば、モータの固定のためのねじ締め作業を廃止でき、組み立てコストの削減を図れる。
【００１８】
更に、可変ダンパの隔壁部側の側縁部に、モータの出力軸が隔壁部に形成した透孔を通して軸方向に抜き差し自在に嵌合する連結部を形成しておけば、モータを固定するだけでその出力軸を可変ダンパに連結でき、組み立てコストを一層削減できる。
【００１９】
また、継手本体の隔壁部に対向する内壁面の部分に、可変ダンパの隔壁部側とは反対側の側縁部に突設した軸部が抜き差し自在に係合する軸支部を形成し、前記連結部にモータの出力軸を嵌合させることにより、出力軸に押されて軸部が軸支部に対し抜け止めされるようにすれば、可変ダンパを取り付けるためのねじ止めといった面倒な作業も不要になる。従って、組み立てコストの更なる削減を図ることができ、有利である。
【００２０】
【発明の実施の形態】
図１を参照して、ＢＲ、ＤＲ及びＴＲはそれぞれ浴室、脱衣所及びトイレであり、浴室ＢＲの天井に換気機能付き浴室暖房装置１が設置されている。この装置１は、暖房ユニット２と換気ユニット３とを備えており、暖房ユニット２による浴室ＢＲの暖房と、換気ユニット３による浴室ＢＲ、脱衣所ＤＲ及びトイレＴＲの換気とを行い得られるようにしている。そして、浴室ＢＲ、脱衣所ＤＲ及びトイレＴＲから成るサニタリ領域以外の各居室に外気取り入れ口を設けると共に、各居室のドアにアンダーカットやガラリを設けて、各居室とサニタリ領域との間の通風を可能とし、各居室からの空気を換気ユニット３により浴室ＢＲ、脱衣所ＤＲ及びトイレＴＲを介して外部に排出することで住居全体の換気も行い得られるようにしている。
【００２１】
暖房ユニット２は、図２に示す如く、浴室ＢＲに連通する図示省略した吸い込み口と吹き出し口とを有するケーシング４内に、循環ファン５と、熱源機６からの温水を流す熱交換器７とを収納して成るもので、循環ファン５の作動により浴室ＢＲ内の空気を循環させつつ熱交換器７により加熱して、浴室ＢＲの暖房を行う。吹き出し口には、ステッピングモータ８ａで駆動される可変ルーバ８が設けられており、暖房ユニット２からの送風方向を可変ルーバ８によって変更できるようにしている。また、熱源機６と熱交換器７との間の温水循環路９には、熱交換器７への温水の供給を断続する熱動弁１０が介設されている。循環ファン５のモータ５ａ、ステッピングモータ８ａ及び熱動弁１０はマイクロコンピュータから成るコントローラ１１で制御される。
【００２２】
換気ユニット３は、暖房ユニット２のケーシング４に隣接するケーシング１２と、このケーシング１２内に収納した、コントローラ１１により制御されるモータ１３ａで駆動される換気ファン１３とを備えている。ケーシング１２には、暖房ユニット２のケーシング４を介して浴室ＢＲに連通する浴室用吸気口１４と、脱衣所ＤＲとトイレＴＲに各連通する他室用吸気口たる脱衣所用とトイレ用の吸気口１５，１６と、ダクト１７ａ（図１参照）を介して外部に連通する排気口１７とが形成されている。そして、換気ファン１３の作動で浴室用と脱衣所用とトイレ用の各吸気口１４，１５，１６から空気が吸引され、排気口１７を介して外部に排出される。脱衣所用とトイレ用の各吸気口１５，１６には、脱衣所ＤＲとトイレＴＲに各連通するダクト１８，１９がケーシング１２の外面に取り付けた各管継手２０，２１を介して接続されている。かくて、ダクト１８と管継手２０と脱衣所用吸気口１５とで脱衣所ＤＲを換気ユニット３に連通する脱衣所用連通路が構成され、ダクト１９と管継手２１とトイレ用吸気口１６とでトイレＴＲを換気ユニット３に連通するトイレ用連通路が構成される。
【００２３】
ここで、浴室ＢＲを換気ユニット３に連通する浴室用連通路となる浴室用吸気口１４は開閉機構たる可変ダンパ２２により開閉及び開度調整自在になっている。また、脱衣所用とトイレ用の各連通路も各管継手２０，２１に組み込んだ開度自動調整機構たる後記詳述する可変ダンパ２３，２４により開閉及び開度調整自在になっている。これら各可変ダンパ２２，２３，２４は、コントローラ１１により制御されるステッピングモータから成る各モータ２２ａ，２３ａ，２４ａで駆動されるようになっている。かくて、浴室用と脱衣所用とトイレ用の各可変ダンパ２２，２３，２４の開度、即ち、浴室用と脱衣所用とトイレ用の各連通路の開度は、指令信号に応じて調整可能である。
【００２４】
コントローラ１１には、脱衣所ＤＲ等に設置するリモコン２５からの信号やトイレスイッチ２６からの信号が入力される。リモコン２５には、常時換気スイッチや暖房スイッチや乾燥スイッチや浴室換気スイッチや脱衣所換気スイッチといった各種スイッチが設けられており、これらスイッチの操作に応じコントローラ１１が暖房ユニット２と換気ユニット３との運転を制御する。例えば、常時換気スイッチをオンすると、浴室用と脱衣所用とトイレ用の各可変ダンパ２２，２３，２４をそれぞれ所定開度に開いた状態で換気ファン１３を所定回転数で継続作動させる常時換気モードでの運転が行われる。暖房スイッチをオンすると、熱交換器７に温水が供給されると共に循環ファン５が作動され、浴室ＢＲの暖房が行われる。この際、暖房効率を上げるため、浴室用可変ダンパ２２は閉じられる。乾燥スイッチをオンすると、暖房時と同様に熱交換器７への温水の供給と循環ファン５の作動とが行われ、更に、浴室用可変ダンパ２２が開かれると共に換気ファン１３が作動され、浴室ＢＲ内の湿気が排出される。浴室換気スイッチや脱衣所換気スイッチをオンすると、浴室用可変ダンパ２２や脱衣所用可変ダンパ２３が開かれると共に換気ファン１３が作動され、浴室ＢＲや脱衣所ＤＲの換気が行われる。トイレスイッチ２６をオンすると、トイレＴＲの照明が点灯し、同時にトイレ用可変ダンパ２４が開かれると共に換気ファン１３が作動され、トイレＴＲの換気が行われる。尚、トイレＴＲに臭いセンサや人体センサを設け、センサからの信号でトイレＴＲの換気を行うようにしても良い。
【００２５】
また、常時換気モードでの運転中に暖房スイッチや乾燥スイッチや浴室換気スイッチや脱衣所換気スイッチやトイレスイッチ２６がオンされたときも各スイッチに応じた制御が行われる。以下、常時換気モードでの運転中にこれらスイッチがオンされたときの換気ユニット３における制御について説明する。
【００２６】
常時換気モードでの運転中に暖房スイッチがオンされたときは、図３に示す如く、浴室用可変ダンパ２２を閉鎖すると共に（Ｓ１）、換気ユニット３による換気量が設定値以上になっているか否かを判別し（Ｓ２）、換気量が設定値未満であれば、脱衣所用可変ダンパ２３とトイレ用可変ダンパ２４の開度を増加する（Ｓ３）。これによれば、浴室用可変ダンパ２２の閉鎖による換気量の減少が脱衣所用可変ダンパ２３とトイレ用可変ダンパ２４の開度増加で補償され、換気ファン１３の回転数を増加しなくても住居全体の換気量が設定値に維持される。尚、換気ユニット３による換気量は、換気ファン１３の回転数とモータ１３ａの電流とをパラメータとしてマップ検索で求めるが、風量センサを排気口１７に設けて、換気量を直接検出しても良い。
【００２７】
常時換気モードでの運転中に乾燥スイッチがオンされたときは、図４に示す如く、浴室用可変ダンパ２２の開度を増加すると共に（Ｓ４）、脱衣所用可変ダンパ２３とトイレ用可変ダンパ２４の開度を減少する（Ｓ５）。これによれば、浴室ＢＲの換気量が大きくなり、浴室ＢＲ内の湿気を効率良く排出できる。
【００２８】
常時換気モードでの運転中に浴室換気スイッチ又は脱衣所換気スイッチがオンされたときは、図５に示す如く、浴室用可変ダンパ２２又は脱衣所用可変ダンパ２３の開度を増加すると共に（Ｓ６）、換気ファン１３の回転数を増加する（Ｓ７）。これによれば、住居全体の換気量を確保しつつ浴室ＢＲ又は脱衣所Ｄにおいて換気量を局所的に大きくすることができる。
【００２９】
常時換気モードでの運転中にトイレスイッチ２６がオンされたときは、図６に示す如く、トイレ用可変ダンパ２４の開度を増加すると共に（Ｓ８）、換気ファン１３の回転数を増加する（Ｓ９）。そして、この状態での運転をトイレスイッチ２６のオフ後にスタートする遅れタイマーの設定時間が経過するまで継続し（Ｓ１０，Ｓ１１，Ｓ１２）、トイレＴＲ内の臭いを確実に排出する。遅れタイマーの設定時間が経過したときは、常時換気モードでの通常運転状態、即ち、浴室用と脱衣所用とトイレ用の各可変ダンパ２２，２３，２４をそれぞれ所定開度に開いた状態で換気ファン１３を所定回転数で作動させる状態に移行する（Ｓ１３）。
【００３０】
ここで、脱衣所用可変ダンパ２３やトイレ用可変ダンパ２４を、換気ユニット３のケーシング１２内に配置し、脱衣所用吸気口１５やトイレ用吸気口１６の開度をこれら可変ダンパで調整することも可能である。然し、この場合には、ケーシング１２内に、これら可変ダンパの動作スペースとダンパ用モータの配置スペースとを確保することが必要になり、換気ユニット３が大型化する。
【００３１】
これに対し、本実施形態のように脱衣所用ダクト１８を接続する管継手２０と、トイレ用ダクト１９を接続する管継手２１とを、夫々、対応する可変ダンパ２３，２４とその駆動モータ２３ａ，２４ａとを内蔵するものに構成しておけば、換気ユニット３のコンパクト化を図ることができる。また、モータ２３ａ，２４ａを含む可変ダンパ２３，２４の故障時には、管継手２０，２１を交換することで対処でき、メンテナンス性も向上する。
【００３２】
ここで、脱衣所用ダクト１８を接続する管継手２０と、トイレ用ダクト１９を接続する管継手２１とは同一の構成になっており、その構造を管継手２０について説明する。
【００３３】
管継手２０は、図７に示す如く、基端に換気ユニット３のケーシング１２に対する取付けフランジ１０１を備えている。そして、管継手２０の取付けフランジ１０１と先端部との間の軸線方向ほぼ全長に亘って、図８に示す如く、継手本体１０２内の通路部１０３に対し継手本体１０２に一体の隔壁部１０４で仕切られた、管継手２０の円形断面内に収まる空室１０５を設けている。そして、通路部１０３に脱衣所用可変ダンパ２３を配置すると共に、空室１０５にステッピングモータから成る可変ダンパ２３用の駆動モータ２３ａを収納している。
【００３４】
空室１０５は、隔壁部１０４の先端に通路部１０３と反対方向に曲成した、管継手２０の円形断面の輪郭に合致する円弧状の周縁を持つ端壁１０６で一端が閉塞され、他端が取付けフランジ１０１で閉塞されている。そして、端壁１０６と取付けフランジ１０１との間に、管継手２０の円形断面の輪郭に合致する外面形状を持つ、空室１０５を覆う蓋部材１０７を設け、蓋部材１０７を継手本体１０２に着脱自在としている。従って、蓋部材１０７を取り外すことでモータ２３ａを着脱でき、組み立て性、メンテナンス性が良好になる。また、蓋部材１０７を取り付けた状態では、蓋部材１０７の外面が管継手２０の断面円形の外周面の一部となり、ダクト１８の接続が蓋部材１０７で邪魔されることはない。
【００３５】
蓋部材１０７の先端には、端壁１０６に形成した係合孔１０８に係合する係合爪１０９が形成されている。また、蓋部材１０７の内面には、基端側に位置させて、一対の中空ボス部１１０，１１０が突設されている。そして、図１０に示す如く、各ボス部１１０に蓋部材１０７の外面側から螺子１１１を挿入し、各ボス部１１０を隔壁部１０４に垂設した対応するボス部１１２に螺子止めして、蓋部材１０７を継手本体１０２に固定している。
【００３６】
モータ２３ａには、図９に示す如く、周囲両側方に張り出す一対の耳片状の固定部２３ｂ，２３ｂが設けられている。そして、蓋部材１０７の内面に、中空のボス部から成る一対のモータ押え部１１３，１１３を突設し、各モータ押え部１１３により各固定部２３ｂを隔壁部１０４との間に挟持して固定するようにしている。かくて、モータ２３ａは、蓋部材１０７を取り付けるだけで空室１０５内に固定されることになり、組み立て性が向上する。尚、隔壁部１０４には、固定部２３ｂに形成した孔に嵌合するピン部１１４が垂設されている。このピン部１１４に外嵌するようにしてモータ押え部１１３が固定部２３ｂに当接し、これによりモータ２３ａは位置決めして固定される。
【００３７】
モータ２３ａの出力軸２３ｃは、隔壁部１０４に形成した透孔１１５を通して通路部１０３に突出する。通路部１０３に配置する可変ダンパ２３には、隔壁部１０４側の側縁部に位置させて、非円形孔を有する連結部２３ｄが設けられている。そして、この連結部２３ｄに断面非円形の出力軸２３ｃが抜き差し自在に嵌合する。これにより、可変ダンパ２３に出力軸２３ｃが連結され、可変ダンパ２３がモータ２３ａで回転駆動される。
【００３８】
また、可変ダンパ２３の隔壁部１０４側とは反対側の側縁部には、軸部２３ｅが突設されている。そして、継手本体１０２の隔壁部１０４に対向する内面部分に、軸部２３ｅが抜き差し自在に係合する軸支部１１６を設けている。軸支部１１６は、継手本体１０２の上記内面部分に垂設したリブ１１７と、リブ１１７の下部背面に、リブ１１７に形成した切り欠き１１７ａを通して先方に開口するように設けたＵ字状のサポート部１１８とで構成されている。これによれば、軸部２３ｅを先方から切り欠き１１７ａを通してサポート部１１８に挿入し、次に、軸部２３ｅを押し上げると、軸部２３ｅがリブ１１７の背面に入り込み、サポート部１１８とリブ１１７とで軸部２３ｅが回転自在に軸支される。
【００３９】
ここで、軸部２３ｅの押し上げは、連結部２３ｄへの出力軸２３ｃの嵌合で為される。従って、連結部２３ｄに出力軸２３ｃを嵌合させることにより、軸部２３ｅは軸支部１１６に対し抜け止めされる。かくて、螺子締め等の面倒な作業を行わずに、可変ダンパ２３の組み付けと、可変ダンパ２３に対する出力軸２３ｅの連結とを行うことができ、組み立て性が向上する。尚、モータ２３ａに対する配線は、取付けフランジ１０１に形成した配線穴１１９を通して行われる。
【００４０】
以上、脱衣所用ダクト１８を接続する管継手２０について説明したが、トイレ用ダクト１９を接続する管継手２１も同一の構造になっており、管継手２１についての説明は省略する。
【００４１】
また、上記した可変ダンパ付きの管継手は、浴室暖房装置１における管継手だけでなく、開度調整が必要な通路な通路を構成するダクト用の管継手として広く適用できる。
【図面の簡単な説明】
【図１】本発明暖房装置の設置状態を示す斜視図。
【図２】実施形態の浴室暖房装置の構造を模式的に示す図。
【図３】常時換気モードでの運転中に暖房スイッチがオンされたときの制御を示すフロー図。
【図４】常時換気モードでの運転中に乾燥スイッチがオンされたときの制御を示すフロー図。
【図５】常時換気モードでの運転中に浴室換気スイッチ又は脱衣所換気スイッチがオンされたときの制御を示すフロー図。
【図６】常時換気モードでの運転中にトイレスイッチがオンされたときの制御を示すフロー図。
【図７】実施形態の浴室暖房装置で使用する管継手の斜視図。
【図８】図７の管継手の切断斜視図。
【図９】図７の管継手の横断面図
【図１０】図７のＸ―Ｘ線で切断した断面図。
【符号の説明】
ＢＲ…浴室  ＤＲ…脱衣所（他室）ＴＲ…トイレ（他室）１…換気機能付暖房装置  ２…暖房ユニット  ３…換気ユニット  １２…ケーシング  １３…換気ファン  １４…浴室用吸気口  １５…脱衣所用吸気口（他室用吸気口）  １６…トイレ用吸気口（他室用吸気口）  １８，１９…ダクト  ２０，２１…管継手  ２３，２４…可変ダンパ  ２３ａ，２４ａ…ダンパ用モータ  ２３ｂ…モータの固定部  ２３ｃ…出力軸  ２３ｄ…連結部  ２３ｅ…軸部  １０２…継手本体  １０３…通路部  １０４…隔壁部  １０５…空室  １０７…蓋部材  １１３…モータ押え部  １１５…透孔  １１６…軸支部
【図１】
2004232975.tif 000003
【図２】
2004232975.tif 000004
【図３】
2004232975.tif 000005
【図４】
2004232975.tif 000006
【図５】
2004232975.tif 000007
【図６】
2004232975.tif 000008
【図７】
2004232975.tif 000009
【図８】
2004232975.tif 000010
【図９】
2004232975.tif 000011
【図１０】
2004232975.tif 000012